(57)【特許請求の範囲】
【請求項１】
各々が液晶素子を有する複数画素の各画素に対する印加電圧値を、前記画素毎の印加電圧値を指定した映像信号に基づいて規定する映像処理回路であって、
前フレームにおける印加電圧値と後フレームにおける印加電圧値との差が予め定められた閾値以上である第１画素への印加電圧値を、当該第１画素へ電圧を印加する期間の少なくとも一部で補正する補正部であって、当該第１画素の前フレームにおける印加電圧値と後フレームにおける印加電圧値との差、及び当該第１画素に隣り合う第２画素の前フレームにおける印加電圧値に応じて、後フレームにおける当該第１画素の印加電圧値を補正する補正部
を有する映像処理回路。
【請求項２】
前記補正部は、前フレームにおける前記第１画素の印加電圧値に応じて、後フレームにおける前記第１画素の印加電圧値を補正する
請求項１に記載の映像処理回路。
【請求項３】
前記補正部は、前記第１画素のうち、前フレームにおける印加電圧値が予め定められた閾値未満の画素の印加電圧値を補正する
請求項１又は請求項２に記載の映像処理回路。
【請求項４】
前記補正部は、前フレームにおける前記第１画素の印加電圧値と、前フレームにおける前記第２画素の印加電圧値との差が予め定められた閾値以上である場合、前記第１画素の印加電圧値を補正する
請求項１から請求項３のいずれか一項に記載の映像処理回路。
【請求項５】
前記補正部は、前記第１画素に隣り合う前記第２画素の前フレームにおける印加電圧値が予め定められた閾値以上である場合、前記第１画素の印加電圧値を補正する
請求項１から請求項４のいずれか一項に記載の映像処理回路。
【請求項６】
前記第２画素は、前記第１画素に対して斜め方向で隣り合う画素である
請求項１から請求項５のいずれか一項に記載の映像処理回路。
【請求項７】
前記補正部は、前記第１画素に隣り合う複数の前記第２画素のうち、前フレームにおいて前記第１画素の印加電圧値との差が最大となる画素の印加電圧値との差に応じて、前記第１画素の印加電圧値を補正する
請求項１から請求項６のいずれか一項に記載の映像処理回路。
【請求項８】
前記補正部は、前記第１画素に隣り合う複数の前記第２画素の印加電圧値の平均値に応じて、前記第１画素の印加電圧値を補正する
請求項１から請求項６のいずれか一項に記載の映像処理回路。
【請求項９】
前記補正部は、前記第１画素に対する相対的な方向に応じた重み付けを前記第２画素の印加電圧値に対して行い、前記平均値を算出する
請求項８に記載の映像処理回路。
【請求項１０】
各々が液晶素子を有する複数画素の各画素に対する印加電圧値を、前記画素毎の印加電圧値を指定した映像信号に基づいて規定する映像処理回路であって、
前フレームにおける印加電圧値と後フレームにおける印加電圧値との差が予め定められた閾値以上である第１画素への印加電圧値を、当該第１画素へ電圧を印加する期間の少なくとも一部で補正する補正部であって、当該第１画素に隣り合う第２画素の前フレームにおける印加電圧値に応じて、後フレームにおける当該第１画素の印加電圧値を補正する補正部を有し、
前記補正部は、前記第１画素の前フレームにおける印加電圧値と後フレームにおける印加電圧値との差から前記第１画素の印加電圧値の補正量を求め、求めた補正量に対して、前フレームにおける前記第１画素の印加電圧値と前記第２画素の印加電圧値との組に応じた補正係数を乗じて得た値に基づいて、前記第１画素の印加電圧値を補正する映像処理回路。
【請求項１１】
各々が液晶素子を有する複数画素の各画素に対する印加電圧値を、前記画素毎の印加電圧値を指定した映像信号に基づいて規定する映像処理回路であって、
前フレームにおける印加電圧値と後フレームにおける印加電圧値との差が予め定められた閾値以上である第１画素への印加電圧値を、当該第１画素へ電圧を印加する期間の少なくとも一部で補正する補正部であって、当該第１画素に隣り合う第２画素の前フレームにおける印加電圧値に応じて、後フレームにおける当該第１画素の印加電圧値を補正する補正部を有し、
前記補正部は、前記第１画素の前フレームにおける印加電圧値と前記第２画素の前フレームにおける印加電圧値との差に応じて、前記第１画素の前フレームにおける印加電圧値を置換し、置換された印加電圧値と、前記第１画素の後フレームにおける印加電圧値とに基づいて、前記第１画素の印加電圧値を補正する映像処理回路。
【請求項１２】
請求項１から請求項１１のいずれか一項に記載の映像処理回路と、
各々が液晶素子を有する複数画素を有する表示装置であって、前記映像処理回路で規定された印加電圧値が当該画素に印加される表示装置と、
を備える電子機器。
【請求項１３】
各々が液晶素子を有する複数画素の各画素に対する印加電圧値を、前記画素毎の印加電圧値を指定した映像信号に基づいて規定する映像処理方法であって、
前フレームにおける印加電圧値と後フレームにおける印加電圧値との差が予め定められた閾値以上である第１画素への印加電圧値を、当該第１画素へ電圧を印加する期間の少なくとも一部で補正するステップであって、当該第１画素の前フレームにおける印加電圧値と後フレームにおける印加電圧値との差、及び当該第１画素に隣り合う第２画素の前フレームにおける印加電圧値に応じて、後フレームにおける当該第１画素の印加電圧値を補正する補正ステップ
を有する映像処理方法。
【請求項１４】
各々が液晶素子を有する複数画素の各画素に対する印加電圧値を、前記画素毎の印加電圧値を指定した映像信号に基づいて規定する映像処理方法であって、
前フレームにおける印加電圧値と後フレームにおける印加電圧値との差が予め定められた閾値以上である第１画素への印加電圧値を、当該第１画素へ電圧を印加する期間の少なくとも一部で補正するステップであって、当該第１画素に隣り合う第２画素の前フレームにおける印加電圧値に応じて、後フレームにおける当該第１画素の印加電圧値を補正する補正ステップを有し、
前記補正ステップでは、前記第１画素の前フレームにおける印加電圧値と後フレームにおける印加電圧値との差から前記第１画素の印加電圧値の補正量を求め、求めた補正量に対して、前フレームにおける前記第１画素の印加電圧値と前記第２画素の印加電圧値との組に応じた補正係数を乗じて得た値に基づいて、前記第１画素の印加電圧値を補正する映像処理方法。
【請求項１５】
各々が液晶素子を有する複数画素の各画素に対する印加電圧値を、前記画素毎の印加電圧値を指定した映像信号に基づいて規定する映像処理方法であって、
前フレームにおける印加電圧値と後フレームにおける印加電圧値との差が予め定められた閾値以上である第１画素への印加電圧値を、当該第１画素へ電圧を印加する期間の少なくとも一部で補正するステップであって、当該第１画素に隣り合う第２画素の前フレームにおける印加電圧値に応じて、後フレームにおける当該第１画素の印加電圧値を補正する補正ステップを有し、
前記補正ステップでは、前記第１画素の前フレームにおける印加電圧値と前記第２画素の前フレームにおける印加電圧値との差に応じて、前記第１画素の前フレームにおける印加電圧値を置換し、置換された印加電圧値と、前記第１画素の後フレームにおける印加電圧値とに基づいて、前記第１画素の印加電圧値を補正する映像処理方法。
【発明の詳細な説明】
【技術分野】
【０００１】
本発明は、映像処理回路、電子機器及び映像処理方法に関する。
【背景技術】
【０００２】
動画像の画質改善を行う技術として、例えば、特許文献１に開示されているオーバードライブと呼ばれる技術がある。このオーバードライブによる補正では、画素毎に、表示中のフレームの映像信号と、次に表示するフレームの映像信号とを比較し、次に表示するフレームの映像信号を比較結果に応じて補正する。具体的には、表示中のフレームに対して次のフレームにて画素への印加電圧が高くなる方向へ階調が変化する場合、次のフレーム内の一部期間において、画素への印加電圧を映像信号に応じた電圧より高い電圧に補正する。これにより、補正を行わない場合と比較すると、液晶配向の応答時間が早まり、動画像の画質が改善される。
【先行技術文献】
【特許文献】
【０００３】
【特許文献１】特開２００５−３５２３１５号公報
【発明の概要】
【発明が解決しようとする課題】
【０００４】
液晶を用いた表示装置においては、高精細化に伴って隣り合う画素同士の間隔が狭くなり、画素電極同士で生じる電界、すなわち基板面に対して平行方向（横方向）の電界が生じて、その影響が無視できなくなりつつある。例えばＶＡ（Vertical Alignment）方式のように縦方向の電界により駆動されるべき液晶に対して、横電界が加わると、液晶の配向不良が発生し、表示上の不具合が発生してしまう。
このように配向不良が生じている状態において、オーバードライブ処理を行うと、横電界が小さいときよりも液晶の応答速度が遅くなり、動画質の改善効果が小さくなることや、逆に応答速度が速くなり、オーバードライブが掛かっているときに画素が明るくなりすぎることがある。
【０００５】
これに対し、本発明は、隣り合う画素間に横電界があってもオーバードライブを有効にすることを目的とする。
【課題を解決するための手段】
【０００６】
本発明は、各々が液晶素子を有する複数画素の各画素に対する印加電圧値を、前記画素毎の印加電圧値を指定した映像信号に基づいて規定する映像処理回路であって、前フレームにおける印加電圧値と後フレームにおける印加電圧値との差が予め定められた閾値以上である第１画素への印加電圧値を、当該第１画素へ電圧を印加する期間の少なくとも一部で補正する補正部であって、当該第１画素に隣り合う第２画素の前フレームにおける印加電圧値に応じて、後フレームにおける当該第１画素の印加電圧値を補正する補正部を有する映像処理回路を提供する。
本発明によれば、隣り合う画素間に横電界があってもオーバードライブを有効にすることができる。
【０００７】
本発明においては、前記補正部は、前フレームにおける前記第１画素の印加電圧値に応じて、後フレームにおける前記第１画素の印加電圧値を補正する構成としてもよい。
この構成によれば、後フレームにおいて動画像の画質が改善される。
【０００８】
また、本発明においては、前記補正部は、前記第１画素のうち、前フレームにおける印加電圧値が予め定められた閾値未満の画素の印加電圧値を補正する構成としてもよい。
この構成によれば、隣り合う画素との間で横電界が大きくなる画素について、オーバードライブを有効にすることができる。
【０００９】
また、本発明においては、前記補正部は、前フレームにおける前記第１画素の印加電圧値と、前フレームにおける前記第２画素の印加電圧値との差が予め定められた閾値以上である場合、前記第１画素の印加電圧値を補正する構成としてもよい。
この構成によれば、隣り合う画素との間で横電界が大きくなる画素について、オーバードライブを有効にすることができる。
【００１０】
また、本発明においては、前記補正部は、前記第１画素に隣り合う前記第２画素の前フレームにおける印加電圧値が予め定められた閾値以上である場合、前記第１画素の印加電圧値を補正する構成としてもよい。
この構成によれば、隣り合う画素との間で横電界が大きくなる画素について、オーバードライブを有効にすることができる。
【００１１】
また、本発明においては、前記第２画素は、前記第１画素に対して斜め方向で隣り合う画素である構成としてもよい。
この構成によれば、斜め方向で隣り合う画素との間で横電界が大きくなる画素について、オーバードライブを有効にすることができる。
【００１２】
また、本発明においては、前記補正部は、前記第１画素に隣り合う複数の前記第２画素のうち、前フレームにおいて前記第１画素の印加電圧値との差が最大となる画素の印加電圧値との差に応じて、前記第１画素の印加電圧値を補正する構成としてもよい。
この構成によれば、第１画素と複数の画素との間で横電界が生じても、オーバードライブを有効にすることができる。
【００１３】
また、本発明においては、前記補正部は、前記第１画素に隣り合う複数の前記第２画素の印加電圧値の平均値に応じて、前記第１画素の印加電圧値を補正する構成としてもよい。
この構成によれば、第１画素と複数の画素との間で横電界が生じても、オーバードライブを有効にすることができる。
【００１４】
また、本発明においては、前記補正部は、前記第１画素に対する相対的な方向に応じた重み付けを前記第２画素の印加電圧値に対して行い、前記平均値を算出する構成としてもよい。
この構成によれば、第１画素と複数の画素との間で横電界が生じても、オーバードライブを有効にすることができる。
【００１５】
また、本発明においては、前記補正部は、前記第１画素の前フレームにおける印加電圧値と後フレームにおける印加電圧値との差から前記第１画素の印加電圧値の補正量を求め、求めた補正量に対して、前フレームにおける前記第１画素の印加電圧値と前記第２画素の印加電圧値との組に応じた補正係数を乗じて得た値に基づいて、前記第１画素の印加電圧値を補正する構成としてもよい。
この構成においても、隣り合う画素との間で横電界が大きくなる画素について、オーバードライブを有効にすることができる。
【００１６】
また、本発明においては、前記補正部は、前記第１画素の前フレームにおける印加電圧と前記第２画素の前フレームにおける印加電圧との差に応じて、前記第１画素の前フレームにおける印加電圧値を置換し、置換された印加電圧値と、前記第１画素の後フレームにおける印加電圧値とに基づいて、前記第１画素の印加電圧値を補正する構成としてもよい。
この構成においても、隣り合う画素との間で横電界が大きくなる画素について、オーバードライブを有効にすることができる。
【００１７】
また、本発明は、上記のいずれかの構成の映像処理回路と、各々が液晶素子を有する複数画素を有する表示装置であって、前記映像処理回路で規定された印加電圧値が当該画素に印加される表示装置と、を備える電子機器を提供する。
本発明によれば、隣り合う画素間に横電界があってもオーバードライブを有効にすることができる。
【００１８】
また、本発明は、各々が液晶素子を有する複数画素の各画素に対する印加電圧値を、前記画素毎の印加電圧値を指定した映像信号に基づいて規定する映像処理方法であって、前フレームにおける印加電圧値と後フレームにおける印加電圧値との差が予め定められた閾値以上である第１画素への印加電圧値を、当該第１画素へ電圧を印加する期間の少なくとも一部で補正するステップであって、当該第１画素に隣り合う第２画素の前フレームにおける印加電圧値に応じて、後フレームにおける当該第１画素の印加電圧値を補正する補正ステップを有する映像処理方法を提供する。
本発明によれば、隣り合う画素間に横電界があってもオーバードライブを有効にすることができる。
【図面の簡単な説明】
【００１９】
【図１】電気光学装置１の構成を示したブロック図。
【図２】表示パネル１００の構成を示した図。
【図３】画素１１０の構成を示した図。
【図４】表示パネル１００のＶ−Ｔ特性を示した図。
【図５】表示パネル１００の初期配向を説明する図。
【図６】リスク境界を検出する動作を説明するための図。
【図７】液晶の配向不良を説明するための図。
【図８】映像処理回路２０の構成を示した図。
【図９】画素の印加電圧値の一例を示した図。
【図１０】第２実施形態に係る映像処理回路２０Ｂの構成を示した図。
【図１１】電気光学装置１を適用した電子機器の構成を示した図。
【図１２】変形例に係る表示パネル１００の配向不良を説明するための図。
【発明を実施するための形態】
【００２０】
［第１実施形態］
図１は、本発明の第１実施形態に係る電気光学装置１の全体構成を示したブロック図である。図１に示すように、電気光学装置１は、タイミング制御回路１０と、表示パネル１００と、映像処理回路２０を有する。タイミング制御回路１０は、図示せぬ外部装置から与えられる同期信号Ｓｙｎｃに同期して各種の制御信号を生成し、電気光学装置１の各部を制御する。
【００２１】
映像処理回路２０は、表示パネル１００に供給する信号を処理する回路である。映像処理回路２０には、同期信号Ｓｙｎｃに同期して外部装置から映像信号Ｖｉｄ−ｉｎが供給される。映像信号Ｖｉｄ−ｉｎは、表示パネル１００が有する複数の画素（後述する、表示領域１０１）の各画素へ印加する印加電圧を指定する信号である。映像信号Ｖｉｄ−ｉｎは、同期信号Ｓｙｎｃに含まれる垂直走査信号、水平走査信号及びドットクロック信号（いずれも図示省略）に従った走査の順番で供給される。映像処理回路２０は、供給される映像信号Ｖｉｄ−ｉｎを処理して映像信号Ｖｉｄ−ｏｕｔを表示パネル１００に出力する。なお、映像信号Ｖｉｄ−ｉｎは、表示パネル１００の各画素への印加電圧を指定するものであるが、印加電圧に応じて画素が有する液晶素子の透過率（階調値）が定まるので、映像信号Ｖｉｄ−ｉｎは、液晶素子の透過率（階調値）を指定するものともいえる。
表示パネル１００は、例えば、各画素をトランジスターなどのスイッチング素子により駆動するアクティブ・マトリクス型の表示装置である。表示パネル１００は、映像処理回路２０から供給される映像信号Ｖｉｄ−ｏｕｔに基づいて画像を表示する。
【００２２】
図２は、表示パネル１００の構成を示す図である。図２に示すように、表示パネル１００のうち画像が表示される表示領域１０１では、１、２、３、・・・、ｍ行の走査線１１２が、Ｘ方向に沿って設けられる。また、表示領域１０１では、１、２、３、・・・、ｎ列のデータ線１１４が、走査線１１２に直交するＹ方向に沿って設けられる。各データ線１１４と各走査線１１２とは互いに電気的に絶縁を保つように設けられる。そして、これらｍ行の走査線１１２とｎ列のデータ線１１４との交点のそれぞれに対応して、画素１１０がそれぞれ設けられる。したがって、この実施形態では、表示領域１０１において、画素１１０が縦ｍ行×横ｎ列でマトリクス状に配列される。
【００２３】
表示領域１０１の周辺には、走査線駆動回路１３０とデータ線駆動回路１４０とが配置されている。
走査線駆動回路１３０は、タイミング制御回路１０から供給される制御信号Ｙｃｔｒによって指定される走査線１１２を選択する。走査線駆動回路１３０は、選択した走査線１１２に対する走査信号を選択電圧に相当するＨ（Ｈｉｇｈ）レベルとする一方、他の走査線１１２に対する走査信号を非選択電圧に相当するＬ（Ｌｏｗ）レベルとする。図２においては、１、２、３、・・・、ｍ行目の走査線１１２に供給される走査信号をそれぞれＧ１、Ｇ２、Ｇ３、・・・、Ｇｍと表記している。
データ線駆動回路１４０は、映像信号Ｖｉｄ−ｏｕｔに基づいて、いわゆる電圧変調方式で画素１１０を駆動するものである。具体的には、データ線駆動回路１４０は、タイミング制御回路１０から供給される制御信号Ｘｃｔｒに従って１〜ｎ列目のデータ線１１４に、それぞれ映像信号Ｖｉｄ−ｏｕｔに応じた大きさの電圧のデータ信号を供給する。
画素１１０は、画素電極とコモン電極とで液晶を挟持した液晶素子を有し、走査線１１２が選択されたときに、データ線１１４に供給されたデータ信号が画素電極に印加されるものである。
【００２４】
図３は、表示パネル１００の等価回路を示した図である。図３に示すように、表示パネル１００は、走査線１１２とデータ線１１４との交差に対応して、画素電極１１８とコモン電極１０８とで液晶１０５を挟持した液晶素子１２０が配列された構成である。表示パネル１００における等価回路では、液晶素子１２０に対して並列に補助容量（蓄積容量）１２５が設けられている。補助容量１２５は、一端が画素電極１１８に接続され、他端が容量線１１５に共通接続されている。なお、容量線１１５は時間的に一定の電圧に保たれている。
図３に示した構成において、走査線１１２がＨレベルになると、その走査線にゲート電極が接続されたＴＦＴ（Thin Film Transistor）１１６がオンとなり、画素電極１１８がデータ線１１４に接続される。このため、走査線１１２がＨレベルであるときに、データ信号がデータ線１１４に供給されると、そのデータ信号は、オンとなったＴＦＴ１１６を介して画素電極１１８に供給される。走査線１１２がＬレベルになると、ＴＦＴ１１６はオフとなるが、画素電極１１８に印加された電圧は、液晶素子１２０の容量性及び補助容量１２５によって保持される。
【００２５】
液晶１０５の劣化を防止するため、表示パネル１００においては液晶素子１２０を交流駆動することが原則であるが、液晶素子１２０を交流駆動する場合、ある階調を表現するように液晶素子１２０を駆動する際に、振幅中心電圧Ｖｃｎｔに対して高位側とする正極性と、振幅中心電圧Ｖｃｎｔに対して低位側とする負極性との２種類が必要となる。実施形態の電圧については、液晶素子１２０の印加電圧を除き、特に明記しない限り図示省略した接地電位を電圧「０」の基準とする。液晶素子１２０の印加電圧は、コモン電極１０８の電圧ＬＣｃｏｍと画素電極１１８との電位差である。液晶素子１２０に階調に応じた電圧を保持させる際、書込極性が正極性の場合には、コモン電極１０８の電圧ＬＣｃｏｍよりも画素電極１１８の電位が高くなり、書込極性が負極性の場合には、コモン電極１０８の電圧ＬＣｃｏｍよりも画素電極１１８の電位が低くなる。
【００２６】
液晶素子１２０では、画素電極１１８及びコモン電極１０８によって生じる電界に応じて液晶１０５の分子配向状態が変化する。このため、液晶素子１２０は、透過型であれば、印加・保持電圧に応じた透過率となる。表示パネル１００では、液晶素子１２０毎に透過率が変化するので、画素１１０の各々が液晶素子１２０を有する。なお、本実施形態においては、液晶１０５をＶＡ方式とし、電圧無印加時において液晶素子１２０が黒状態となるノーマリーブラックモードとなっている。
【００２７】
図４は、ノーマリーブラックモードの液晶素子１２０における印加電圧と透過率との関係を表した曲線を表すグラフである。図４に示すグラフにおいて、横軸は液晶素子１２０への印加電圧の大きさに対応し、縦軸は液晶素子１２０の透過率（具体的には、相対透過率）の大きさに対応している。液晶素子１２０へ映像信号Ｖｉｄ−ｏｕｔで指定された印加電圧を印加すると、印加電圧に応じた透過率（階調値）となる。ノーマリーブラックモードでは、印加電圧が高い場合ほど、液晶素子１２０の透過率が大きくなる。
【００２８】
ところで、表示パネル１００においては、隣り合う２つの画素１１０間の印加電圧の差が大きくなると横電界が強くなり、この差が大きいほど、隣り合う２つの画素１１０の境界付近で、液晶１０５の配向不良が発生しやすくなる。
【００２９】
ここで、液晶１０５の配向不良による不具合の例について説明する。図５の（ａ）は、表示パネル１００において互いに縦方向及び横方向に隣接する２×２の画素を示す図であり、図５の（ｂ）は、表示パネル１００を、図５の（ａ）におけるｐ−ｑ線を含む垂直面で破断したときの簡易断面図である。図５に示すように、ＶＡ方式の液晶分子１２１は、画素電極１１８とコモン電極１０８との電位差（液晶素子の印加電圧）が「０」である状態において、チルト角がθａで、チルト方位角がθｂ（＝４５度）で、初期配向しているものとする。ここで、配向不良は、隣り合う画素電極１１８同士の横電界に起因して発生することから、画素電極１１８の側における液晶分子１２１の振る舞いが問題となる。このため、液晶分子１２１のチルト方位角及びチルト角については、画素電極１１８の側を基準にして規定する。
【００３０】
チルト角θaとは、図５の（ｂ）に示すように、画素電極１１８に対する法線Ｓｖを基準にして、液晶分子１２１の長軸Ｓaのうち、画素電極１１８側の一端を固定点としてコモン電極１０８側の他端が傾斜したときに、法線Ｓｖと液晶分子１２１の長軸Ｓaがなす角度とする。一方、チルト方位角θｂとは、データ線１１４の配列方向であるＹ方向に沿った垂直面と、液晶分子１２１の長軸Ｓａ及び法線Ｓｖを含む垂直面（ｐ−ｑ線を含む垂直面）とがなす角度とする。
【００３１】
このような初期配向となる表示パネル１００において、例えば、図６に示した画素Ｐ及び画素Ｐに隣接する画素ａ〜画素ｄに着目する。画素Ｐへの印加電圧が低く、画素ｂへの印加電圧が高い場合、ｐ−ｑ線に沿った断面で画素Ｐと画素ｂを見ると、液晶分子１２１は、コモン電極１０８と画素電極１１８との間の電界に応じて図７の（ａ）で示した状態に傾斜しようとする。しかしながら、画素Ｐに印加される電圧と画素ｂに印加される電圧との差が大きい場合、横電界の影響が大きく、図７の（ｂ）に示したように、画素Ｐと画素ｂの境界付近で、液晶分子１２１が、本来配向させたい方向とは異なる方向へ配向されてしまうことがある。このような配向不良は、画素Ｐと画素ａの間においても同様に発生する。
【００３２】
また、画素Ｐへの印加電圧が低く、画素ｃへの印加電圧が高い場合、ｐ−ｑ線に沿った断面で画素Ｐと画素ｃを見ると、液晶分子１２１は、コモン電極１０８と画素電極１１８との間の電界に応じて図７の（ｃ）で示した状態に傾斜しようとする。しかしながら、画素Ｐに印加される電圧と画素ｃに印加される電圧との差が大きい場合、横電界の影響により、図７の（ｄ）に示したように、画素Ｐと画素ｃの境界付近で、液晶分子１２１が、本来配向させたい方向とは異なる方向へ配向されてしまうことがある。このような配向不良は、画素Ｐと画素ｄの間においても同様に発生する。
【００３３】
液晶素子１２０の応答速度は、応答前の液晶素子１２０の配向状態によって変化する。このため、隣り合う画素１１０同士の間に生じた横電界により乱れた配向状態となっている状態でオーバードライブ処理を行うと、横電界が小さいときよりも液晶素子１２０の応答速度が遅くなり、動画質の改善効果が小さくなることや、逆に応答速度が速くなり、オーバードライブの補正が掛かっているときに画素１１０が明るくなりすぎることがある。
【００３４】
例えば、画素Ｐへの印加電圧が低く、画素ａ及び画素ｂへの印加電圧が高く、画素Ｐと画素ａ及び画素ｂとの間で上述のような配向不良が生じている状態において、画素の階調を低階調から高階調にするため、画素Ｐへの印加電圧を高くする場合を想定する。この場合、画素Ｐにおいては、印加電圧を高くする前においては、画素ａや画素ｂとの境界に近い液晶分子１２１は、図７の（ｂ）に示したようにリバースチルト状態となっている。この状態においては、変更前と変更後の印加電圧の差に応じて印加電圧を高くする従来のオーバードライブ処理を行っても、リバースチルト状態となっている液晶分子１２１の応答速度が遅くなるため、動画質の改善効果が小さくなってしまう。
そこで、本実施形態においては、このような不具合を解決するため、映像処理回路２０は、オーバードライブ処理の補正量を、前後のフレームの映像信号に基づいて設定する構成を採用する。
【００３５】
図８は、オーバードライブ処理を行う映像処理回路２０の構成を示したブロック図である。映像処理回路２０は、フレームメモリー２２、境界検出部２３、ＬＵＴ（ルックアップテーブル）２４、係数設定部２５及び電圧設定部２６を有する。境界検出部２３、ＬＵＴ２４、係数設定部２５及び電圧設定部２６は、画素１１０の印加電圧値を補正する補正部２１として機能する。
フレームメモリー２２は、表示領域１０１に対応して縦ｍ行×横ｎ列の画素配列に対応した記憶領域を有し、表示中の１フレーム分の映像信号Ｖｉｄ−ｉｎと、次に表示する１フレーム分の映像信号Ｖｉｄ−ｉｎを記憶する。なお、説明の便宜上、以下の説明においては、表示中の１フレームを前フレームと称し、次に表示する１フレームを後フレームと称する。各記憶領域は、それぞれに対応する画素１１０に印加する印加電圧の電圧値を記憶する。
【００３６】
ここで、フレームとは、表示パネル１００を駆動することによって、画像の１コマ分を表示させるのに要する期間をいう。その期間は、例えば同期信号Ｓｙｎｃに含まれる垂直 走査信号の周波数が６０Ｈｚであれば、その逆数である１６．７ミリ秒である。本実施形態においては、１フレームは、２ｎ個のフィールド（ｎは１以上の整数）に分けられ、具体的には、２つのフィールドに分けられる。なお、フレームメモリー２２に対する電圧値の書き込み、及びフレームメモリー２２からの電圧値の読み出しは、例えば、タイミング制御回路１０の制御の下で、表示パネル１００における駆動タイミングに応じて図示せぬメモリーコントローラーにより行われる。
【００３７】
境界検出部２３は、画素１１０を順次着目し、着目した画素１１０（以下、着目画素と称する）の前フレームにおける印加電圧値と、着目画素に対して予め定められた方向に隣り合う画素１１０への前フレームにおける印加電圧値との差が予め定められた閾値以上となる（つまり、配向不良が発生し得る電圧差となる）境界を、配向不良が発生するリスクがある「リスク境界」として、フレームメモリー２２に記憶された電圧値に基づいて検出する。例えば、境界検出部２３は、液晶１０５の初期配向状態が図５に示したものである場合、着目画素の前フレームにおける印加電圧値、着目画素から見てＹ方向の反対方向（上方向）に隣り合う画素１１０の前フレームにおける印加電圧値、着目画素から見てＸ方向（右方向）に隣り合う画素１１０の前フレームにおける印加電圧値を、フレームメモリー２２から取得する。境界検出部２３は、着目画素の上方向に隣り合う画素１１０と着目画素との間で印加電圧値の差が予め定められた閾値以上である場合には、これらの画素同士の間をリスク境界として検出する。また、境界検出部２３は、着目画素の右方向に隣り合う画素１１０と着目画素との間で印加電圧値の差が所定の閾値以上である場合には、これらの画素同士の間をリスク境界として検出する。
境界検出部２３は、リスク境界を検出すると、着目画素との間にリスク境界を形成する画素１１０の前フレームにおける印加電圧値を係数設定部２５へ供給する。なお、本実施形態においては、境界検出部２３は、複数のリスク境界を検出した場合、着目画素との間で印加電圧値の差が最大となる画素１１０の前フレームにおける印加電圧値を係数設定部２５へ出力する。また、境界検出部２３は、リスク境界を検出しなかった場合、着目画素の前フレームにおける印加電圧値を係数設定部２５へ出力する。
【００３８】
ＬＵＴ２４は、オーバードライブ処理により着目画素の印加電圧値を補正するときの補正量を予め記憶したテーブルである。ＬＵＴ２４は、映像信号Ｖｉｄ−ｉｎが指定する後フレームにおける着目画素の印加電圧値と、前フレームにおける着目画素の印加電圧値とをフレームメモリー２２から取得し、取得した印加電圧値の組み合わせに対応した補正量を電圧設定部２６へ出力する。なお、オーバードライブ処理は、前フレームから後フレームにかけて印加電圧値が増加し、その印加電圧値の変化が相対的に大きい場合に行われるものであり、印加電圧値が増加しない場合や、その変化が小さく着目画素の液晶素子１２０の応答を早める必要がない場合（つまり、応答の低さが問題とならない場合）には、その画素についてオーバードライブ処理を行わない。このため、ＬＵＴ２４は、取得した印加電圧値の差が予め定められた閾値未満である場合、補正量として「０」を出力する。
【００３９】
係数設定部２５は、ＬＵＴ２４が出力した補正量を調整するための係数を出力する。係数設定部２５は、前フレームにおける着目画素の印加電圧値と、境界検出部２３から供給される印加電圧値を取得し、取得した印加電圧値の組み合わせに対応した係数を電圧設定部２６へ出力する。この係数は、例えば、取得した印加電圧値の差が「０」の場合の係数を「１」とし、取得した印加電圧値の差が最大の場合の係数を所定値とし、所定値と「１」との間を直線補間して得られる値とする。なお、液晶１０５の初期配向状態が図５に示したものである場合、所定値は、「１」より大きい値とする。
【００４０】
電圧設定部２６は、映像信号Ｖｉｄ−ｉｎにオーバードライブ処理を施し、映像信号Ｖｉｄ−ｏｕｔを表示パネル１００へ供給する。具体的には、電圧設定部２６は、映像信号Ｖｉｄ−ｉｎが指定する後フレームにおける着目画素の印加電圧値をフレームメモリー２２から取得する。また、電圧設定部２６は、着目画素に対してオーバードライブ処理を行うときの補正量をＬＵＴ２４から取得し、オーバードライブ処理を行うときの補正量を調整する係数を係数設定部２５から取得する。
電圧設定部２６は、１フレームを複数に分けた複数フィールドのうち、オーバードライブを行うフィールドにおいては、ＬＵＴ２４から取得した補正量に対して、係数設定部２５から取得した係数を乗じ、着目画素へ印加する印加電圧値の補正量を算出する。次に電圧設定部２６は、算出した補正量とフレームメモリー２２から取得した印加電圧値とを加算して得られる印加電圧値を示す映像信号Ｖｉｄ−ｏｕｔを、着目画素の印加電圧値を示す信号として出力する。なお、電圧設定部２６は、複数フィールドのうち、オーバードライブを行わないフィールドについては、フレームメモリー２２から取得した印加電圧値を補正せずに映像信号Ｖｉｄ−ｏｕｔを出力する。
【００４１】
次に、第１実施形態の動作例について説明する。なお、以下の説明においては、着目画素への印加電圧値が前フレームにおいて図９に示した状態であり、液晶１０５の初期配向状態が図５に示したものである場合を想定して動作例の説明を行う。
【００４２】
複数フィールドのうち、オーバードライブを行うフィールドにおいては、図９に示した中央の画素を着目画素Ｐとした場合、境界検出部２３は、前フレームにおける着目画素Ｐの印加電圧値、着目画素Ｐの上方向に隣り合う画素ａの前フレームにおける印加電圧値、着目画素Ｐの右方向に隣り合う画素ｂの前フレームにおける印加電圧値を取得し、リスク境界を検出する。ここで境界検出部２３は、例えば、リスク境界を検出するための予め定められた閾値が１Ｖである場合、着目画素Ｐの印加電圧値と、画素ｂの印加電圧値との差が閾値以上であるため、着目画素Ｐと画素ｂとの間をリスク境界として検出する。また、境界検出部２３は、着目画素Ｐの印加電圧値と、画素ａの印加電圧値との差が閾値未満であるため、着目画素Ｐと画素ａとの間については、リスク境界として検出しない。
【００４３】
境界検出部２３は、リスク境界を検出すると、着目画素Ｐとの間にリスク境界を形成する画素ｂの前フレームにおける印加電圧値である「２．８Ｖ」を係数設定部２５へ出力する。なお、境界検出部２３は、複数のリスク境界を検出した場合には、着目画素Ｐとの間で印加電圧値の差が最大となる画素の前フレームにおける印加電圧値を係数設定部２５へ出力する。
【００４４】
係数設定部２５は、前フレームにおける着目画素Ｐの印加電圧値（ここでは１．２Ｖ）と、境界検出部２３から供給された印加電圧値（ここでは２．８Ｖ）を取得し、取得した電圧値の組み合わせに対応した係数を電圧設定部２６へ出力する。また、ＬＵＴ２４は、後フレームにおける着目画素Ｐの印加電圧値と、前フレームにおける着目画素Ｐの印加電圧値とをフレームメモリー２２から取得し、取得した印加電圧値の組み合わせに対応した補正量を電圧設定部２６へ出力する。
【００４５】
電圧設定部２６は、フレームメモリー２２から後フレームにおける着目画素Ｐの印加電圧値を取得し、ＬＵＴ２４から出力された補正量と、係数設定部２５から出力された係数を取得する。電圧設定部２６は、ＬＵＴ２４から取得した補正量に対して、係数設定部２５から取得した係数を乗じ、着目画素Ｐの印加電圧値の補正量を算出する。ここで、係数設定部２５から取得した係数は、「１」以上の値であるため、係数を乗じて得られる補正量は、ＬＵＴ２４から取得した補正量より大きくなる。次に電圧設定部２６は、算出した補正量とフレームメモリー２２から取得した印加電圧値とを加算して得られた印加電圧値を示す映像信号Ｖｉｄ−ｏｕｔを出力する。
【００４６】
次に、境界検出部２３がリスク境界を検出しなかったときの動作例について説明する。境界検出部２３は、リスク境界を検出しなかった場合、前フレームにおける着目画素の印加電圧値を係数設定部２５へ出力する。係数設定部２５は、前フレームにおける着目画素の印加電圧値と、境界検出部２３から供給された印加電圧値を取得し、取得した印加電圧値の組み合わせに対応した係数を電圧設定部２６へ出力する。ここで、境界検出部２３から取得した印加電圧値は、前フレームにおける着目画素の印加電圧値であるため、取得した電圧値の差が「０」となり、係数設定部２５は、係数として「１」を出力する。また、ＬＵＴ２４は、後フレームにおける着目画素の印加電圧値と、前フレームにおける着目画素の印加電圧値とをフレームメモリー２２から取得し、取得した印加電圧値の組み合わせに対応した補正量を電圧設定部２６へ出力する。電圧設定部２６は、後フレームにおける着目画素の印加電圧値をフレームメモリー２２から取得し、ＬＵＴ２４が出力した補正量と、係数設定部２５が出力した係数を取得する。電圧設定部２６は、ＬＵＴ２４から取得した補正量に対して、係数設定部２５から取得した係数を乗じ、印加電圧値の補正量を算出する。ここで、係数設定部２５から取得した係数は、上述したように「１」であるため、係数を乗じて得られる補正量は、ＬＵＴ２４から取得した補正量となる。次に電圧設定部２６は、算出した補正量とフレームメモリー２２から取得した印加電圧値とを加算して得られた印加電圧値を示す映像信号Ｖｉｄ−ｏｕｔを出力する。
【００４７】
着目画素と隣り合う画素１１０の印加電圧が図９の状態においては、着目画素において右側の画素１１０との境界に近い部分は、図７の（ｂ）に示したようにリバースチルト状態となっている。この状態においては、前フレームにおけるリスク境界を考慮せず、変更前と変更後の印加電圧の差に応じて印加電圧値を着目画素へ印加しても、リバースチルト状態となっている液晶分子１２１の応答速度が遅くなるため、動画質の改善効果が小さくなってしまう。一方、本実施形態によれば、映像処理回路２０は、着目画素がリバースチルトの状態となっている場合には、オーバードライブの補正量を大きくし、印加電圧値を大きくするため、前フレームにおいてリスク境界を検出しない構成である従来のオーバードライブ処理と比較すると、液晶分子１２１の応答速度が速くなり、動画質の改善効果を得ることができる。
また、本実施形態によれば、映像処理回路２０は、着目画素に対してリスク境界が検出されない場合には、オーバードライブ処理において、印加電圧値の補正量を大きくしないため、液晶１０５の応答が速くなりすぎず、本来の階調より高い階調を表示してしまうという不具合の発生を抑えることができる。
【００４８】
［第２実施形態］
次に、本発明の第２実施形態を説明する。第２実施形態に係る電気光学装置１は、映像処理回路の構成が第１実施形態と異なる。以下の説明においては、第１実施形態と同じ構成については、同じ符号を付してその説明を省略し、第１実施形態との相違点を中心に説明する。
【００４９】
図１０は、第２実施形態に係る映像処理回路２０Ｂの構成を示したブロック図である。映像処理回路２０Ｂは、フレームメモリー２２、置換部２７、ＬＵＴ２４Ｂ及び電圧設定部２６Ｂを有する。置換部２７、ＬＵＴ２４Ｂ及び電圧設定部２６Ｂは、画素１１０の印加電圧値を補正する補正部２１Ｂとして機能する。
置換部２７は、前フレームにおける着目画素の印加電圧値と、着目画素に対して予め定められた方向に隣り合う画素１１０の前フレームにおける印加電圧値を参照する。例えば、置換部２７は、液晶１０５の初期配向状態が図５に示したものである場合、着目画素の前フレームにおける印加電圧値、着目画素から見てＹ方向の反対方向（上方向）に隣り合う画素１１０の前フレームにおける印加電圧値、着目画素から見てＸ方向（右方向）に隣り合う画素１１０の前フレームにおける印加電圧値をフレームメモリー２２から取得する。
置換部２７は、取得した着目画素の前フレームにおける印加電圧値と、着目画素に対して予め定められた方向に隣り合う画素１１０の前フレームにおける印加電圧値との差が予め定められた閾値以上となる（つまり、配向不良が発生し得る印加電圧差となる）場合、取得した着目画素の前フレームにおける印加電圧値を置換し、置換された印加電圧値をＬＵＴ２４Ｂへ出力する。ここで印加電圧値を置換する際には、予め定められた計算式に基づいて置換してもよく、また、予め定められたルックアップテーブルを用いて置換してもよい。
なお、置換部２７は、取得した着目画素の前フレームにおける印加電圧値と、着目画素に隣り合う画素１１０の前フレームにおける印加電圧値との差が予め定められた閾値未満の場合、取得した着目画素の前フレームにおける印加電圧値を置換せずにＬＵＴ２４Ｂへ出力する。
【００５０】
ＬＵＴ２４Ｂは、オーバードライブ処理により着目画素の印加電圧値を補正するときの補正量を予め記憶したテーブルである。ＬＵＴ２４Ｂは、映像信号Ｖｉｄ−ｉｎが指定する後フレームにおける着目画素の印加電圧値をフレームメモリー２２から取得する。また、ＬＵＴ２４Ｂは、置換部２７から出力された印加電圧値を取得する。ＬＵＴ２４Ｂは、取得した印加電圧値の組み合わせに対応した補正量を電圧設定部２６Ｂへ出力する。なお、オーバードライブ処理は、前フレームから後フレームにかけての印加電圧値の変化が相対的に大きい場合に行われるものであり、その変化が小さく着目画素の液晶素子１２０の応答を早める必要がない場合（つまり、応答の低さが問題とならない場合）には、その画素についてオーバードライブ処理を行わない。このため、ＬＵＴ２４Ｂは、取得した印加電圧値の差が予め定められた閾値未満である場合、補正量として「０」を出力する。
【００５１】
電圧設定部２６Ｂは、映像信号Ｖｉｄ−ｉｎにオーバードライブ処理を施し、映像信号Ｖｉｄ−ｏｕｔを表示パネル１００へ供給する。具体的には、電圧設定部２６Ｂは、映像信号Ｖｉｄ−ｉｎが指定する後フレームにおける着目画素の印加電圧値をフレームメモリー２２から取得する。また、電圧設定部２６Ｂは、着目画素に対してオーバードライブ処理を行うときの補正量をＬＵＴ２４Ｂから取得する。電圧設定部２６は、１フレームを複数に分けた複数フィールドのうち、オーバードライブを行うフィールドにおいては、フレームメモリー２２から取得した印加電圧値と、ＬＵＴ２４Ｂから取得した補正量とを加算して得られる印加電圧値を示す映像信号Ｖｉｄ−ｏｕｔを、着目画素の印加電圧値を示す信号として出力する。
【００５２】
次に、第２実施形態の動作例について説明する。なお、以下の説明においては、着目画素Ｐの印加電圧値が前フレームにおいて図９に示した状態であり、液晶１０５の初期配向状態が図５に示したものである場合を想定して動作例の説明を行う。
【００５３】
複数フィールドのうち、オーバードライブを行うフィールドにおいては、図９に示した中央の画素を着目画素Ｐとした場合、置換部２７は、前フレームにおける着目画素Ｐへの印加電圧値、着目画素Ｐの上方向に隣り合う画素１１０の前フレームにおける印加電圧値、着目画素Ｐの右方向に隣り合う画素１１０の前フレームにおける印加電圧値をフレームメモリー２２から取得し、前フレームにおける着目画素Ｐの印加電圧値と、着目画素Ｐに対して予め定められた方向に隣り合う画素１１０への前フレームにおける印加電圧値との差が予め定められた閾値以上となるか判定する。
ここで置換部２７は、予め定められた閾値が例えば１Ｖである場合、前フレームにおける着目画素Ｐの印加電圧値と、前フレームにおける右側の画素１１０の印加電圧値との差が閾値以上であるため、前フレームにおける着目画素Ｐの印加電圧値を、取得した値より低い値に置換し、置換された印加電圧値をＬＵＴ２４Ｂへ出力する。ここで、前フレームにおける着目画素Ｐの印加電圧値を低い値に置換するのは、ＬＵＴ２４Ｂから出力される補正量を大きくし、リバースチルトがある着目画素Ｐの応答速度を速くするためである。
ＬＵＴ２４Ｂは、置換部２７から出力された印加電圧値を取得し、後フレームにおける着目画素Ｐの印加電圧値をフレームメモリー２２から取得し、取得した印加電圧値の組み合わせに対応した補正量を電圧設定部２６Ｂへ出力する。
【００５４】
電圧設定部２６Ｂは、後フレームにおける着目画素Ｐの印加電圧値をフレームメモリー２２から取得し、ＬＵＴ２４Ｂから出力された補正量を取得する。電圧設定部２６Ｂは、ＬＵＴ２４Ｂから取得した補正量とフレームメモリー２２から取得した印加電圧値とを加算して得られる印加電圧値を示す映像信号Ｖｉｄ−ｏｕｔを出力する。
【００５５】
次に、前フレームにおいて、着目画素の印加電圧値と、着目画素に隣り合う画素１１０の印加電圧値との差が予め定められた閾値未満となった場合の動作例について説明する。
置換部２７は、前フレームにおける着目画素の印加電圧値と、着目画素に隣り合う画素１１０の前フレームにおける印加電圧値との差が予め定められた閾値未満である場合、前フレームにおける着目画素の印加電圧値をＬＵＴ２４Ｂへ出力する。ここで、前フレームにおける着目画素の印加電圧値を低い値に置換しないのは、リバースチルトが発生していない着目画素に対して印加電圧値を低い値に置換し、ＬＵＴ２４Ｂから出力される補正量を大きくしてしまうと、液晶１０５の応答が速くなりすぎ、本来の階調より高い階調を表示してしまうという不具合が発生するためである。
【００５６】
ＬＵＴ２４Ｂは、置換部２７から出力された印加電圧値を取得し、後フレームにおける着目画素の印加電圧値をフレームメモリー２２から取得し、取得した印加電圧値の組み合わせに対応した補正量を電圧設定部２６Ｂへ出力する。電圧設定部２６Ｂは、ＬＵＴ２４Ｂから出力された補正量を取得し、後フレームにおける着目画素の印加電圧値をフレームメモリー２２から取得する。電圧設定部２６Ｂは、ＬＵＴ２４Ｂから取得した印加電圧値とフレームメモリー２２から取得した印加電圧値とを加算して得られる印加電圧値を示す映像信号Ｖｉｄ−ｏｕｔを出力する。
【００５７】
本実施形態においても、映像処理回路２０は、着目画素においてリバースチルトの状態となっている場合には、オーバードライブのときの印加電圧値を大きくするため、着目画素に隣り合う画素１１０の前フレームおける印加電圧値を考慮しない構成である従来のオーバードライブ処理と比較すると、液晶分子１２１の応答速度が速くなり、動画質の改善効果を得ることができる。
また、本実施形態によれば、着目画素に対してリバースチルトが発生していない場合には、オーバードライブ処理において、印加電圧値の補正量を大きくしないため、液晶１０５の応答が速くなりすぎず、本来の階調より高い階調を表示してしまうという不具合の発生を抑えることができる。
【００５８】
［電子機器］
次に、上述した電気光学装置１を用いた電子機器の一例として、電気光学装置１の表示パネル１００をライトバルブとして用いたプロジェクターについて説明する。図１１は、このプロジェクターの構成を示す図である。
この図に示されるように、プロジェクター２１００の内部には、ハロゲンランプ等の白色光源からなるランプユニット２１０２が設けられている。このランプユニット２１０２から射出された光は、内部に配置された３枚のミラー２１０６及び２枚のダイクロイックミラー２１０８によってＲ（赤）色、Ｇ（緑）色、Ｂ（青）色の３原色に分離されて、各原色に対応するライトバルブ１００Ｒ、１００Ｇ及び１００Ｂにそれぞれ導かれる。なお、Ｂ色の光は、他のＲ色やＧ色と比較すると、光路が長いので、その損失を防ぐために、入射レンズ２１２２、リレーレンズ２１２３及び出射レンズ２１２４からなるリレーレンズ系２１２１を介して導かれる。
【００５９】
このプロジェクター２１００では、表示パネル１００を含む電気光学装置１が、Ｒ色、Ｇ色、Ｂ色のそれぞれに対応して３組設けられる。そして、Ｒ色、Ｇ色、Ｂ色のそれぞれに対応する映像信号Ｖｉｄ−ｉｎがそれぞれ上位回路から供給される構成となっている。ライトバルブ１００Ｒ、１００Ｇ及び１００Ｂの構成は、上述した表示パネル１００と同様であり、Ｒ色、Ｇ色、Ｂ色のそれぞれに対応する映像信号Ｖｉｄ−ｉｎに応じて、それぞれ駆動されるものである。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色及びＢ色の光は９０度に屈折する一方、Ｇ色の光は直進する。したがって、各色の画像が合成された後、スクリーン２１２０には、投射レンズ２１１４によってカラー画像が投射されることとなる。
【００６０】
なお、ライトバルブ１００Ｒ、１００Ｇ及び１００Ｂには、ダイクロイックミラー２１０８によって、Ｒ色、Ｇ色、Ｂ色のそれぞれに対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
【００６１】
電子機器としては、図１１を参照して説明した他にも、テレビジョンや、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。そして、これらの各種の電子機器に対して、上記電気光学装置１を適用してもよい。
【００６２】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００６３】
（変形例１）
上述した実施形態においては、前フレームにおける着目画素の印加電圧値が予め定められた閾値未満であり、且つ、前フレームにおいて、着目画素に対して予め定められた方向に隣り合う画素１１０の印加電圧値と着目画素の印加電圧値との差が予め定められた閾値以上となる場合、電圧設定部２６は、ＬＵＴ２４から出力された補正量を補正する構成としてもよい。
【００６４】
具体的には、上述した第１実施形態においては、電圧設定部２６は、前フレームにおける着目画素の印加電圧値が予め定められた閾値未満の場合、ＬＵＴ２４から取得した補正量に対して、係数設定部２５から取得した係数を乗じ、前フレームにおける着目画素の印加電圧値が予め定められた閾値以上の場合、ＬＵＴ２４から取得した補正量に対して、係数設定部２５から取得した係数を乗じないようにしてもよい。ＬＵＴ２４から取得した補正量に対して、係数設定部２５から取得した係数を乗じない場合には、電圧設定部２６は、ＬＵＴ２４から取得した補正量とフレームメモリー２２から取得した印加電圧値とを加算して得られた印加電圧値を示す映像信号Ｖｉｄ−ｏｕｔを出力する。
また、上述した第１実施形態においては、係数設定部２５は、前フレームにおける着目画素の印加電圧値が予め定められた閾値以上の場合、出力する係数の値を「１」とし、前フレームにおける着目画素の印加電圧値が予め定められた閾値未満の場合、前フレームにおける着目画素の印加電圧値と境界検出部２３から取得した印加電圧値の組み合わせに対応した係数を出力するようにしてもよい。この構成によれば、前フレームにおける着目画素の印加電圧値が予め定められた閾値以上の場合、電圧設定部２６は、ＬＵＴ２４から取得した補正量に「１」を乗じるため、ＬＵＴ２４から取得した補正量が補正されないこととなる。
【００６５】
また、境界検出部２３は、前フレームにおける着目画素の印加電圧値が予め定められた閾値未満であり、前フレームにおいて、着目画素に対して予め定められた方向に隣り合う画素１１０の印加電圧値と着目画素の印加電圧値との差が予め定められた閾値以上となる場合、着目画素に対して予め定められた方向に隣り合う画素１１０の前フレームにおける印加電圧値を係数設定部２５へ出力し、前フレームにおける着目画素の印加電圧値が予め定められた閾値以上である場合、前フレームにおける着目画素の印加電圧値を係数設定部２５へ出力するようにしてもよい。この構成によれば、前フレームにおける着目画素の印加電圧値が予め定められた閾値以上の場合、フレームメモリー２２から取得する着目画素の前フレームにおける印加電圧値と、境界検出部２３から取得する印加電圧値とが同じになるため、係数設定部２５が出力する係数の値は１となり、電圧設定部２６は、ＬＵＴ２４から取得した補正量に「１」を乗じるため、ＬＵＴ２４から取得した補正量が補正されないこととなる。
また、上述した第２実施形態においては、置換部２７は、前フレームにおける着目画素の印加電圧値が予め定められた閾値以上の場合、着目画素の前フレームにおける印加電圧値を置換せずにＬＵＴ２４Ｂへ出力し、前フレームにおける着目画素の印加電圧値が予め定められた閾値未満であり、且つ、前フレームにおいて、着目画素の印加電圧値と、着目画素に対して予め定められた方向に隣り合う画素１１０の印加電圧値との差が予め定められた閾値以上である場合、フレームメモリー２２から取得した前フレームにおける着目画素の印加電圧値を置換し、置換された印加電圧値をＬＵＴ２４Ｂへ出力するようにしてもよい。
これらの構成によれば、前フレームにおける着目画素の印加電圧が高く、前フレームの着目画素においてリバースチルトが生じていない場合には、オーバードライブ処理において、印加電圧値の補正量を大きくしないため、液晶１０５の応答が速くなりすぎず、本来の階調より高い階調を表示してしまうという不具合の発生を抑えることができる。
【００６６】
（変形例２）
上述した実施形態においては、前フレームにおける着目画素の印加電圧値が予め定められた第１の閾値未満であり、且つ、着目画素に対して予め定められた方向に隣り合う画素１１０の前フレームにおける印加電圧値が予め定められた第２の閾値以上となる場合（第１の閾値＜第２の閾値）、ＬＵＴ２４から出力された補正量を補正する構成としてもよい。
具体的には、上述した第１実施形態においては、境界検出部２３は、前フレームにおける着目画素の印加電圧値が第１の閾値未満であり、且つ、前フレームにおいて着目画素に予め定められた方向に隣り合う画素１１０において、印加電圧値が第２の閾値以上である画素１１０がある場合、前フレームにおいて着目画素に隣り合う画素１１０の印加電圧値を係数設定部２５へ出力し、前フレームにおける着目画素の印加電圧値が第１の閾値以上である場合、又は前フレームにおいて着目画素に予め定められた方向に隣り合う画素１１０において、印加電圧値が第２の閾値以上である画素１１０がない場合、前フレームにおける着目画素の印加電圧値を係数設定部２５へ出力するようにしてもよい。
この構成によれば、前フレームにおける着目画素の印加電圧値が第１閾値以上の場合、又は着目画素に対して予め定められた方向に隣り合う画素１１０において、印加電圧値が第２閾値以上である画素がない場合、電圧設定部２６は、ＬＵＴ２４から取得した補正量に１を乗じるため、ＬＵＴ２４から取得した補正量が補正されないこととなる。
また、第２実施形態においては、置換部２７は、前フレームにおける着目画素の印加電圧値が第１の閾値未満であり、且つ、前フレームにおいて着目画素に予め定められた方向に隣り合う画素１１０において、印加電圧値が第２の閾値以上である画素１１０がある場合、フレームメモリー２２から取得した前フレームにおける着目画素の印加電圧値を置換し、置換された印加電圧値をＬＵＴ２４Ｂへ出力するようにし、前フレームにおける着目画素の印加電圧値が第１の閾値以上である場合、又は前フレームにおいて着目画素に予め定められた方向に隣り合う画素１１０において印加電圧値が第２の閾値以上である画素１１０がない場合、フレームメモリー２２から取得した前フレームにおける着目画素の印加電圧値を置換せずにＬＵＴ２４Ｂへ出力する構成としてもよい。
これらの構成によれば、前フレームにおける着目画素の印加電圧が高い場合や、前フレームにおいて着目画素に予め定められた方向に隣り合う画素１１０の印加電圧値が低い場合等、前フレームの着目画素においてリバースチルトが生じていない場合には、オーバードライブ処理において、印加電圧値の補正量を大きくしないため、液晶１０５の応答が速くなりすぎず、本来の階調より高い階調を表示してしまうという不具合の発生を抑えることができる。
【００６７】
（変形例３）
上述した実施形態においては、境界検出部２３は、着目画素に対して上方向と右方向へ隣り合う画素１１０についてリスク境界を検出しているが、他の方向に隣り合う画素１１０についても、リスク境界を検出するようにしてもよい。
例えば、液晶１０５の初期配向状態が図５に示したものである場合、着目画素と、着目画素に対して右斜め上に隣り合う画素１１０との間で生じる横電界によっても、液晶１０５の配向不良が着目画素において生じ得る。よって、境界検出部２３は、着目画素Ｐに対して右斜め上で隣り合う画素１１０について、リスク境界を検出するようにしてもよい。
また、液晶１０５の初期配向状態が図５に示したものと異なる場合には、液晶１０５の初期配向状態に応じて、リスク境界を検出する対象となる画素を変更するようにしてもよい。
また、置換部２７は、着目画素に対して右斜め上で隣り合う画素１１０についても前フレームにおける印加電圧値を取得し、取得した印加電圧値と前フレームにおける着目画素への印加電圧値との差が予め定められた閾値以上となるか判定し、閾値以上となった場合には、着目画素への前フレームにおける印加電圧値を置換するようにしてもよい。
【００６８】
上述した第１実施形態においては、境界検出部２３は、液晶１０５の初期配向状態に応じた方向に隣り合う画素１１０の前フレームにおける印加電圧値を取得してリスク境界を検出しているが、この方向以外で隣り合う画素１１０についても、前フレームにおける印加電圧値を取得し、取得した印加電圧値と、着目画素の前フレームにおける印加電圧値との差が所定の閾値以上である場合、取得した印加電圧値を係数設定部２５へ出力してもよい。
例えば、上述した実施形態においては、境界検出部２３は、着目画素に対して上方向と右方向に隣り合う画素１１０の前フレームにおける印加電圧値に加えて、下方向に隣り合う画素１１０についても前フレームにおける印加電圧値を取得し、リスク境界を検出するようにしてもよい。
また、置換部２７は、着目画素に対して上方向と右方向に隣り合う画素１１０の前フレームにおける印加電圧値に加えて、下方向に隣り合う画素１１０についても前フレームにおける印加電圧値を取得し、これらの印加電圧値のうち、前フレームにおける着目画素の印加電圧値との差が閾値以上となるものがある場合、着目画素の前フレームにおける印加電圧値を置換し、置換された印加電圧値を出力するようにしてもよい。
【００６９】
（変形例４）
境界検出部２３は、複数のリスク境界を検出した場合、着目画素との間にリスク境界を形成する画素の前フレームにおける印加電圧値の平均値を算出し、算出した平均値を係数設定部２５へ出力する構成としてもよい。
例えば、図９において、前フレームにおいて着目画素Ｐの上側の画素１１０の印加電圧が２．０Ｖではなく、３．２Ｖである場合、着目画素Ｐに対して上側の画素１１０の印加電圧値（３．２Ｖ）と右側の画素１１０の印加電圧値（２．８Ｖ）の平均値である３Ｖを、係数設定部２５へ出力する。
【００７０】
（変形例５）
また、境界検出部２３は、複数のリスク境界を検出した場合、着目画素との間にリスク境界を形成する画素の前フレームにおける印加電圧値のそれぞれに対して、液晶１０５の初期配向状態に応じた重み付けをして印加電圧値の平均値を算出し、算出した平均値を係数設定部２５へ出力する構成としてもよい。
例えば、着目画素に対して右側の画素１１０との電圧差のほうが、上側の画素１１０より配向不良への影響が大きい場合、右側の画素１１０の印加電圧の重み付けを上側の画素１１０の印加電圧の重み付けより大きくする。右側の画素１１０の印加電圧への重み付けを「０．７５」、上側の画素１１０の印加電圧への重み付けを「０．２５」とした場合、係数設定部２５へ出力する印加電圧値は、２．８Ｖ＊０．７５＋３．２Ｖ＊０．２５＝２．９Ｖとなる。
【００７１】
（変形例６）
上述した実施形態においては、前フレームにおいて着目画素と着目画素に隣り合う画素との間で印加電圧に差がある場合、オーバードライブの補正量を大きく補正するが、チルト方位角によっては、オーバードライブの補正量を小さく補正するようにしてもよい。
例えば、液晶１０５の初期配向が、図１２の（ａ）と図１２の（ｂ）に示したものである場合を想定し、図６に示した画素Ｐ及び画素Ｐに隣接する画素ａ〜画素ｄに着目する。画素Ｐへの印加電圧が低く、画素ｂへの印加電圧が高い場合、ｐ−ｑ線に沿った断面で画素Ｐと画素ｂを見ると、画素Ｐに印加される電圧と画素ｂに印加される電圧との差が大きい場合、横電界の影響が大きく、図１２の（ｃ）に示したように、画素Ｐと画素ｂの境界付近で、液晶分子１２１が、本来配向させたい方向とは異なる方向へ配向されてしまうことがある。このような配向不良は、画素Ｐと画素ａの間においても同様に発生する。
このように、隣り合う画素１１０同士の間に生じた横電界により乱れた配向状態となっている状態でオーバードライブ処理を行うと、横電界が小さいときよりも液晶素子１２０の応答速度が速くなり、オーバードライブの補正が掛かっているときに画素１１０が明るくなりすぎることがある。
よって、オーバードライブを行っているときに画素１１０が明るくなりすぎないようにするためには、オーバードライブの補正量を小さくすればよい。この構成を実現するため、係数設定部２５は、取得した印加電圧値の差が「０」の場合の係数を「１」とし、取得した印加電圧値の差が最大の場合の係数を所定値とし、所定値と「１」との間を直線補間して得られる値とするが、液晶１０５の初期配向が図１２の（ａ）と図１２の（ｂ）に示したものである場合、所定値は、「１」より小さい値とする。
また、第２実施形態においては、置換部２７は、着目画素の前フレームにおける印加電圧値を置換するときに、置換する前より高い値に置換する。ここで、前フレームにおける着目画素Ｐの印加電圧値を高い値に置換するのは、ＬＵＴ２４Ｂから出力される補正量を小さくし、オーバードライブを行ったときに着目画素が明るくなりすぎるのを防ぐためである。
【００７２】
（変形例７）
上述した実施形態においては、液晶素子１２０がノーマリーブラックであるが、ノーマリーホワイトであってもよい。また、上述した実施形態においては、表示パネル１００は透過型の液晶表示パネルであるが、反射型の液晶表示パネルであってもよい。
液晶素子１２０がノーマリーホワイトの場合、前フレームから後フレームにかけて着目画素の印加電圧値が減少し、その印加電圧値の変化が相対的に大きい場合にオーバードライブ処理を行う。なお、液晶素子１２０がノーマリーホワイトの場合、オーバードライブを行うフィールドにおいては、オーバードライブを行わないフィールドより、印加電圧値を小さくすることとなる。
【００７３】
（変形例８）
本発明においては、電圧設定部２６は、取得する映像信号Ｖｉｄ−ｉｎが３Ｄの映像に係る信号である場合には、ＬＵＴ２４から取得した補正量に対して係数設定部２５から取得した係数を乗じ、取得する映像信号Ｖｉｄ−ｉｎが２Ｄの映像に係る信号である場合には、ＬＵＴ２４から取得した補正量に対して係数設定部２５から取得した係数を乗じないようにしてもよい。
【００７４】
（変形例９）
上述した実施形態においては、オーバードライブの補正量をＬＵＴで得ているが、計算式で補正量を算出し、算出された補正量を電圧設定部２６、２６Ｂへ出力してもよい。
【符号の説明】
【００７５】
１…電気光学装置、１０…タイミング制御回路、２０…映像処理回路、２１、２１Ｂ…補正部、２２…フレームメモリー、２３…境界検出部、２４、２４Ｂ…ＬＵＴ、２５…係数設定部、２６、２６Ｂ…電圧設定部、２７…置換部、１００…表示パネル、１０１…表示領域、１０５…液晶、１０８…コモン電極、１１０…画素、１１２…走査線、１１４…データ線、１１５…容量線、１１６…ＴＦＴ、１１８…画素電極、１２０…液晶素子、１２１…液晶分子、１２５…補助容量、１３０…走査線駆動回路、１４０…データ線駆動回路、２１００…プロジェクター
【図１】
0006578686.tif 000002
【図２】
0006578686.tif 000003
【図３】
0006578686.tif 000004
【図４】
0006578686.tif 000005
【図５】
0006578686.tif 000006
【図６】
0006578686.tif 000007
【図７】
0006578686.tif 000008
【図８】
0006578686.tif 000009
【図９】
0006578686.tif 000010
【図１０】
0006578686.tif 000011
【図１１】
0006578686.tif 000012
【図１２】
0006578686.tif 000013